(57)【特許請求の範囲】
【請求項１】
略矩形の一枚板の内側部分に、下辺を折目とし、上及び左右辺を切目とした舌片を形成し、前記左辺及び右辺の切目の全部又は一部よりも左右方向内側に位置する、前記舌片以外の左右各々に、上下方向に延びる同一直線上の上折目及び下折目を形成し、前記左右の下折目の上端と前記下辺の折目の左右端との間に切目を形成するとともに、前記左辺及び右辺の切目の左右下端に繋がり、左右方向外側に延びる左右の側部切目を形成し、
前記一枚板の左右両側部を左右方向の外側へ延長し、
これら側部の各々に左右方向略中央で上下方向に伸びる側部折目を形成するとともに、該側部折目に沿って前記左右両側部の外側延長部分を前方に折り曲げて重ねた状態で、前記側部切目に重なる第２側部切目を前記延長部分に形成してなり、
前記舌片を前記下辺の折目に沿って前方へ折り曲げるとともに、
前記折り曲げて重ねた状態の左右両側部を前記左右の上折目及び下折目に沿って前方へ折り曲げ、前記左右の側部切目及び第２側部切目に前記舌片の左右の上折目及び下折目よりも左右方向外側の部分を係合させることにより前記舌片を略水平に保持して作品を載置する載置板とし、
前記第２側部切目の前端部から下方向垂直に支持部形成折目を形成し、該支持部形成折目に沿って左右両側部に略垂直になるように折り曲げ、載置板を支持する左右の載置板支持部を設けてなることを特徴とする作品展示台。
【請求項２】
前記舌片の下辺の折目の左右方向中央から該折目に沿って左に離間した位置から左側に、該折目の端部より右側まで延びる水平切目を入れ、該水平切目の左端から下側に、さらに右側に連続して前記水平切目の右端下側まで切目を入れ、これら連続する略横向きＵ字状切目の右端上下を結んだ線を縦折目とし、
前記略横向きＵ字状切目と左右対称の略横向きＵ字状切目を形成してその左端上下を結んだ線を縦折目とし、
これら左右の縦折目に沿って前記略横向きＵ字状切目の内側部分を前方へ折り曲げて前記載置板の支持片とした請求項１に記載の作品展示台。
【請求項３】
前記縦折目を上方へ行くにしたがって左右方向外側へ傾く傾斜線とし、前記支持片の下辺に凹部を設け、上下方向において該凹部と前記載置板の間に位置するとともに、前記凹部よりも前方の左右両側部に貫通孔をあけ、前記左右両側部の貫通孔を紐状のもので結紐し、該紐状のものを前記凹部に係合させるようにした請求項２記載の作品展示台。
【請求項４】
前記側部切目が波形状である請求項１〜３の何れかに記載の作品展示台。
【発明の詳細な説明】
【技術分野】
【０００１】
本発明は、学校の授業で制作された立体作品など、比較的小さく軽いものを壁面に展示する場合に好適な作品展示台に関するものである。
【背景技術】
【０００２】
従来、学校の授業で児童が制作した立体作品は、展示する際、一般的に床上で展示されたり、テーブルなどの台上で展示されたりしているため、回覧者は作品を上方から見ることになる。しかし、作品の制作者である児童は机の上において横から見て作品を制作していて、この視点の違いにより、作者の意図する構成や観点が回覧者に伝わりにくい状態にあった。
また、企業が行う合同展示会等では、製品が台上に展示されて見づらい状態にあったり、壁面に展示台される場合でも、壁面と同時に展示台が製作されるため、費用が割高であったり、展示場所の変更が不可能であったりしていた。
【０００３】
そこで、陳列台と棚を合体させる事で立体的に商品を陳列できる様にし、棚面を広くすることによって陳列効果を高める陳列棚台があった（例えば、特許文献１）。
【特許文献１】特開平１０−５７２０４号公報
【発明の開示】
【発明が解決しようとする課題】
【０００４】
しかし、上述の従来の陳列棚台は、店舗において商品等を陳列することを主目的としており、作品等を展示するために使用する場合、すでにある壁面に作品を展示するための棚を取付けることはできず、効率が悪い。また、棚の高さも当該展示棚台の製作時に決められるため、配置等を変更することもできない。さらに、一つの棚を作るために多くの部品が必要であり、短期間に数多くの作品等を展示する展示会には、製作及び解体の費用や時間がかかりすぎるという問題があった。
【０００５】
そこで本発明が前述の状況に鑑み、解決しようとするところは、壁面や限られた展示スペースであっても作品展示数を多くしたり、制作者の意図する視点で作品を見せるように展示したりすることができるとともに、製作が極めて容易で、不使用時には嵩張らないものとすることができる作品展示台を提供する点にある。
【課題を解決するための手段】
【０００６】
本発明に係る作品展示台は、前述の課題解決のために、略矩形の一枚板の内側部分に、下辺を折目とし、上及び左右辺を切目とした舌片を形成し、前記左辺及び右辺の切目の全部又は一部よりも左右方向内側に位置する、前記舌片以外の左右各々に、上下方向に延びる同一直線上の上折目及び下折目を形成し、前記左右の下折目の上端と前記下辺の折目の左右端との間に切目を形成するとともに、前記左辺及び右辺の切目の左右下端に繋がり、左右方向外側に延びる左右の側部切目を形成し、前記一枚板の左右両側部を左右方向の外側へ延長し、これら側部の各々に左右方向略中央で上下方向に伸びる側部折目を形成するとともに、該側部折目に沿って前記左右両側部の外側延長部分を前方に折り曲げて重ねた状態で、前記側部切目に重なる第２側部切目を前記延長部分に形成してなり、前記舌片を前記下辺の折目に沿って前方へ折り曲げるとともに、前記折り曲げて重ねた状態の左右両側部を前記左右の上折目及び下折目に沿って前方へ折り曲げ、前記左右の側部切目及び第２側部切目に前記舌片の左右の上折目及び下折目よりも左右方向外側の部分を係合させることにより前記舌片を略水平に保持して作品を載置する載置板とし、前記第２側部切目の前端部から下方向垂直に支持部形成折目を形成し、該支持部形成折目に沿って左右両側部に略垂直になるように折り曲げ、載置板を支持する左右の載置板支持部を設けた。
【０００９】
さらに、前記舌片の下辺の折目の左右方向中央から該折目に沿って左に離間した位置から左側に、該折目の端部より右側まで延びる水平切目を入れ、該水平切目の左端から下側に、さらに右側に連続して前記水平切目の右端下側まで切目を入れ、これら連続する略横向きＵ字状切目の右端上下を結んだ線を縦折目とし、前記略横向きＵ字状切目と左右対称の略横向きＵ字状切目を形成してその左端上下を結んだ線を縦折目とし、これら左右の縦折目に沿って前記略横向きＵ字状切目の内側部分を前方へ折り曲げて前記載置板の支持片とすると好ましい。
【００１０】
さらにまた、前記縦折目を上方へ行くにしたがって左右方向外側へ傾く傾斜線とし、前記支持片の下辺に凹部を設け、上下方向において該凹部と前記載置板の間に位置するとともに、前記凹部よりも前方の左右両側部に貫通孔をあけ、前記左右両側部の貫通孔を紐状のもので結紐し、該紐状のものを前記凹部に係合させるようにすると好ましい。
【００１１】
また、前記側部切目が波形状であると好ましい。
【発明の効果】
【００１２】
以上にしてなる本発明に係る作品展示台は、略矩形の一枚板の内側部分に、下辺を折目とし、上及び左右辺を切目とした舌片を形成し、前記左辺及び右辺の切目の全部又は一部よりも左右方向内側に位置する、前記舌片以外の左右各々に、上下方向に延びる同一直線上の上折目及び下折目を形成し、前記左右の下折目の上端と前記下辺の折目の左右端との間に切目を形成するとともに、前記左辺及び右辺の切目の左右下端に繋がり、左右方向外側に延びる左右の側部切目を形成し、前記一枚板の左右両側部を左右方向の外側へ延長し、これら側部の各々に左右方向略中央で上下方向に伸びる側部折目を形成するとともに、該側部折目に沿って前記左右両側部の外側延長部分を前方に折り曲げて重ねた状態で、前記側部切目に重なる第２側部切目を前記延長部分に形成してなり、前記舌片を前記下辺の折目に沿って前方へ折り曲げるとともに、前記折り曲げて重ねた状態の左右両側部を前記左右の上折目及び下折目に沿って前方へ折り曲げ、前記左右の側部切目及び第２側部切目に前記舌片の左右の上折目及び下折目よりも左右方向外側の部分を係合させることにより前記舌片を略水平に保持して作品を載置する載置板とし、前記第２側部切目の前端部から下方向垂直に支持部形成折目を形成し、該支持部形成折目に沿って左右両側部に略垂直になるように折り曲げ、載置板を支持する左右の載置板支持部を設けたため、一枚の剛性のある紙、合成樹脂、又は、合板等を折り曲げるだけで容易、且つ、迅速に作品展示台を成形することができる。
また、２本の折目が上下方向に一直線上あるため、舌片を切り倒したことによって上下に分かれる背面部が一平面上に位置し、容易に壁面に取り付けることができる。
さらに、壁面の上下方向にも自由に作品を展示することもできるため、限られた展示スペースであっても作品展示数を多くしたり、作品に応じて高さを変え、制作者の制作した視線や意図する視点で作品を見せるように展示したりすることができる。
さらにまた、一枚板に切目、折目を入れるだけで製作することができるため、製作が極めて容易であるうえに、作品展示台として使用しない場合には、一枚板状のものとすることができ、嵩張らないため、運送や保管に便利であり、短期間で行われる展示会等にはより好適なものとなる。
【００１３】
また、作品を載置する載置板の両側端を支持する左右両側部が二重の板より形成されているため、左右両側部の強度が高くなり、載置板の両側端が安定して支持され、比較的重量のある作品でも展示することができる。また、薄い一枚板により形成しても強度を高くすることができ、作品展示台全体として軽量化することができるため、壁に掛ける作品展示台としてより有利なものとなる。さらに、材料となる一枚板に高い強度が必要なくなるため、薄い合紙等の安価な材料で成形することができ、製造コストをより低廉化することができる。
【００１４】
さらに、作品を載置する載置板の中央よりも前方を支持し、作品をより安定して展示することができる。また、作品載置板の下に位置するこの載置板支持部は閲覧者から見えやすいものであるため、作者や作品の名称等、展示時に必要な情報を記載することにより、これらの情報を表示することができ、別途名称表示部等を設ける必要がなく、作品展示台としてより有利なものとなる。
【００１５】
また、前記舌片の下辺の折目の左右方向中央から該折目に沿って左に離間した位置から左側に、該折目の端部より右側まで延びる水平切目を入れ、該水平切目の左端から下側に、さらに右側に連続して前記水平切目の右端下側まで切目を入れ、これら連続する略横向きＵ字状切目の右端上下を結んだ線を縦折目とし、前記略横向きＵ字状切目と左右対称の略横向きＵ字状切目を形成してその左端上下を結んだ線を縦折目とし、これら左右の縦折目に沿って前記略横向きＵ字状切目の内側部分を前方へ折り曲げて前記載置板の支持片とするため、左右両側部とともに、前記支持片によって載置板を支えるため、比較的重いものであっても安定して水平状態を保ち、作品を展示することができる。
さらに、前記支持片は一枚板の一部を切起してなり、支持片を設けるために別部材を用意する必要がないため、製作の費用、時間を無駄に増やすことがなく、作品展示台として軽量にすることができ、壁面に取り付けるためにより好適となる。
【００１６】
また、前記縦折目を上方へ行くにしたがって左右方向外側へ傾く傾斜線とし、前記支持片の下辺に凹部を設け、上下方向において該凹部と前記載置板の間に位置するとともに、前記凹部よりも前方の左右両側部に貫通孔をあけ、前記左右両側部の貫通孔を紐状のもので結紐し、該紐状のものを前記凹部に係合させると、載置板を支持する支持片が前方へ折れ曲げるにしたがって先端部が斜め上を向くことになり、作品によって載置板がたわみにくく、載置板に置いた作品が落下しないように安定して展示することができる。
さらに、紐状のものによって支持片を支持するとともに、左側部、右側部を内側に引き付けるため、側部切目に係合させた載置板が側部切目から外れることを防ぐことができる。
【００１７】
また、前記側部切目が波形状であると、これらに係合する載置板は側面視において丸みを有する形状となるため、曲げ剛性が高くなり、たわみにくくなる。その結果、作品展示台１Ａとして、より重量のある作品でも安定して展示することができる。
【発明を実施するための最良の形態】
【００１８】
次に、本発明の各実施形態を添付図面に基づいて説明するが、本発明に係る作品展示台１は、添付図面に示された形態に限定されず特許請求の範囲に記載の要件を満たす実施形態の全てを含むものである。
【００１９】
本発明に係る作品展示台１は、略矩形の一枚板の内側部分に、下辺１０Ａを折目とし、上及び左右辺１０Ｂ、１０Ｃ、１０Ｃを切目とした舌片１０を形成し、前記左辺１０Ｃ及び右辺１０Ｃの切目の全部又は一部よりも左右方向内側に位置する、前記舌片１０以外の左右各々に、上下方向に延びる同一直線上の上折目２Ａ、２Ａ及び下折目２Ｂ、２Ｂを形成し、前記左右の下折目２Ｂ、２Ｂの上端と前記下辺１０Ａの折目の左右端との間に切目１１、１１を形成するとともに、前記左辺１０Ｃ及び右辺１０Ｃの切目の左右下端に繋がり、左右方向外側に延びる左右の側部切目６、６を形成してなり、前記舌片１０を前記下辺１０Ａの折目に沿って前方へ折り曲げるとともに、前記一枚板の左右両側部３、４を前記左右の上折目２Ａ及び下折目２Ｂに沿って前方へ折り曲げ、前記左右の側部切目６、６に前記舌片１０の左右の上折目２Ａ及び下折目２Ｂよりも左右方向外側の部分を係合させることにより前記舌片１０を略水平に保持して作品Ａを載置する載置板５となしたものである。また、図１及び図７に示すように本発明の第１実施形態に係る作品展示台１を成形した使用状態において、載置板５の基端部から先端部の方向を前方とし、前方を向いて左右方向を決めるものとする。
【００２０】
まず、図１〜図６に沿って本発明の第１実施形態を説明する。
【００２１】
図１〜図６は本発明の第１実施形態に係る作品展示台１を示す説明図であり、図１は本発明の第１実施形態に係る作品展示台１の使用状態を示す斜視図、図２は本発明の第１実施形態に係る作品展示台１の正面図、図３は本発明の第１実施形態に係る作品展示台１の底面図、図４は図２のＡ−Ａ断面図、図５は本発明の第１実施形態に係る作品展示台１の展開した状態を示す正面図、図６は本発明の第１実施形態に係る作品展示台１の成形方法を示した説明図であり、（ａ）は作品展示台を展開した状態を示す斜視図、（ｂ）は支持片のみ折り曲げた状態を示す斜視図、（ｃ）は支持片、舌片を折り曲げた状態を示す斜視図、（ｄ）は支持片、舌片、左右両側部を折り曲げ、舌片の左右基端部を側部切目に係合させた状態を示す斜視図である。
【００２２】
図１〜図４は、本発明の第１実施形態に係る作品展示台１の構成についての説明図であり、以下詳細に説明する。
【００２３】
図１は、本発明の第１実施形態に係る作品展示台１の載置板５に作品Ａを載せ、壁面Ｗに画鋲Ｔを使って取り付けた状態を示すものである。壁面Ｗには一平面上にある作品展示台１の背面部２が接面して、背面部２の両側端に連続する左右両側部３、４が前方に上折目２Ａ、２Ａ及び下折目２Ｂ、２Ｂにより、略垂直に折り曲げられ、この左右両側部３、４に設けられた側部切目６、６に載置板５左右基端部が係合することによって載置板５が保持されている。また、載置板５は載置板５よりも下側の部分を切起して設けられた左右の支持片７、７によっても支持されている。左右の支持片７、７の下辺には各々凹部７Ａ、７Ａが設けられており、左右両側部３、４に開けた下貫通孔９Ｂ、９Ｂを結紐する紐状ゴム８をこの凹部７Ａ、７Ａに引っ掛けることにより、左右の支持片７、７を保持している。載置板５よりも上側の左右両側部３、４にも作品Ａ落下防止のために上貫通孔９Ａ、９Ａが開けられており、これらが紐状ゴム８で結ばれていることで、作品Ａが落下することを防止することができる。この上貫通孔９Ａは複数設けているため、作品Ａの形状や大きさに応じて最適なものを選択する。
ここで、画鋲Ｔで壁面に取り付ける場合は、背面部２の上側両側端に留めるのが最適であるが、本発明に係る作品展示台１の左側部３、及び、右側部４は手で容易に押し広げることができ、それにより、画鋲Ｔの位置決め等がしやすくなる。
また、作品展示台１の上下辺は飾り切りされているが、下辺においては両側部の両端部において最下部となるようにしているため、壁から外してテーブルや床等の上に置いて使用することもできる。
【００２４】
載置板５は、左右両側部３、４に設けた側部切目６、６によってその角度が決められるが、載置板５の先端方向に向いて少し上を向くように側部切目６、６を入れるようにすれば、作品Ａが落下することを防止できる。
支持片７は、舌片１０の下辺１０Ａに沿って中央よりも左側から左側部３と背面部２との下折目２Ｂ近くまで水平切目７Ｃを入れ、当該下折目２Ｂ近傍から背面部２中央付近に向けて斜め下向きに、途中上向きに凸部を設けて切目を入れて略横向きＵ字状に形成する。このとき、上側の水平切目７Ｃよりも下側の切目のほうがより中央部に近くなるようにして、縦折目７Ｂを上方へ行くにしたがって左右方向外側へ傾く傾斜線としているため、前方への折り曲げの角度が大きくなるにつれて、支持片７の先端が上へ向かうようになっている。同様に載置板５下側の背面部２中央よりも右側部４側にも左右対称になるように切目、折目を入れる。こうして形成された左右の支持片７、７を切起し、載置板５を平行よりも若干、載置板５の先端方向が少し上向くように位置させた状態で、左側部３、及び、右側部４の載置板５よりも下側に設けた下貫通孔９Ｂ、９Ｂを紐状ゴム８によってつなぎ、左右の支持片７、７の下側に設けた凹部７Ａ、７Ａにこの紐状ゴム８を引っ掛けることによって、左右の支持片７、７は支持される。
このような構成にすることにより、作品Ａの重さによって載置板５がたわみにくくなり、作品Ａが落下することを防止できる。
【００２５】
展示終了後は、作品展示台１を展開することによって、一枚の厚紙と同じようにコンパクトに収納することができるため、数多くの作品展示台１をまとめて容易に運び出すことができ、さらに、特に壊れることがなければ、次の展示にも使用することができる。
【００２６】
図５は、本発明の第１実施形態に係る作品展示台１の展開した状態を示す正面図であり、この作品展示台１の運送、保管時に最適な形態である。図示するように、一枚の平面板状とすることにより、運送及び保管時に場所が嵩張らず、特に、短期間で開催される展示会等では会場に搬入され、又は、搬出されることが頻繁にあり、嵩張らないで運送及び保管できる本発明の第１実施形態の作品展示台１は好適である。さらに、何度でも展開、成形を繰り返し使用できるため、経費を削減できるうえ、無駄に廃棄することもなく、環境にも良い。
【００２７】
図６は、本発明の第１実施形態に係る作品展示台１の展開した状態（ａ）から成形する方法を説明する斜視図である。まず、運送時には数多くの作品展示台１でも嵩張らず、運送等に係る費用を安くできるように展開した状態（ａ）で運送し、主に、展示会場で成形する。成形するには、左右の支持片７、７を縦折目７Ｂ、７Ｂにより折り曲げ、載置板５の下面を支持するように位置し（ｂ）、舌片１０を下辺１０Ａの折目により前方に略垂直に折り曲げた状態にして載置板５とし、（ｃ）、つぎに、左側部３、及び、右側部４を上折目２Ａ、２Ａ及び下折目２Ｂ、２Ｂにより前方に略垂直に折り曲げ、載置板５の両基端部を側部切目６、６に係合させる（ｄ）。最後に、左側部３及び右側部４に設けた貫通孔９のうち側部切目６、６よりも下側の下貫通孔９Ｂ、９Ｂに紐状ゴム８の両端の金属にて補強した部分を左右に通し、その紐状ゴム８を左右の支持片７、７の凹部７Ａ、７Ａに引っ掛ける。
この紐状ゴム８によって左側部３、及び、右側部４は中央に引き付けられ、載置板５が左右の側部切目６、６から抜けないように、また、左右の支持片７、７も中央部に引き付けられるとともに先端部が上げられ、載置板５が作品の重さによって簡単には下がらないようになっている。
【００２８】
次に、図７〜図１２に沿って本発明の第２実施形態を説明する。
【００２９】
図７〜図１２は本発明の第２実施形態に係る作品展示台１Ａを示す説明図であり、図７は本発明の第２実施形態に係る作品展示台１Ａの使用状態を示す斜視図、図８は本発明の第２実施形態に係る作品展示台１Ａの正面図、図９は本発明の第２実施形態に係る作品展示台１Ａの底面図、図１０は図８のＡ−Ａ断面図、図１１は本発明の第２実施形態に係る作品展示台１Ａの展開した状態を示す正面図、図１２は本発明の第２実施形態に係る作品展示台１Ａの成形方法を示す説明図であり、（ａ）は作品展示台１Ａを展開した状態を示す斜視図、（ｂ）は左右各々の第２側部３ａ、４ａを折り曲げて左右両側部３、４を重ねた状態を示す斜視図、（ｃ）は第２側部３ａ、４ａ、支持片７、７を折り曲げた状態を示す斜視図、（ｄ）は第２側部３ａ、４ａ、支持片７、７、舌片１０を折り曲げた状態を示す斜視図、（ｅ）は第２側部３ａ、４ａ、支持片７、７、舌片１０、左右両側部３、４及び載置板支持部１２、１２を折り曲げ、舌片１０の左右基端部を左右各々の側部切目６、６及び第２側部切目６ａ、６に係合させて載置板とした状態を示す斜視図である。
【００３０】
図７〜図１０は、本発明の第２実施形態に係る作品展示台１Ａの構成についての説明図である。
【００３１】
図７は、本発明の第２実施形態に係る作品展示台１Ａの載置板５に作品Ａを載せ、画鋲Ｔを使って壁面Ｗに取り付けた状態を示すものである。上折目２Ａと下折目２Ｂが一直線上にあることにより、上側及び下側の背面部２が一平面上に位置しているため、壁面Ｗに安定した状態で取り付けることができる。このとき、左右両側部３、４の上貫通孔９Ａ、９Ａに紐状ゴム８を結紐し、作品Ａが載置板５から前方へ転落しないようにしている。この上貫通孔９Ａ、９Ａを結紐した紐状ゴム８と左右両側部３、４の載置板５よりも下側に位置する下貫通孔９Ｂ、９Ｂを結紐する紐状ゴム８により、左右両側部３、４には内側方向に紐状ゴム８の付勢力が働くことで左右両側部３、４の位置が背面部２に対し略垂直に保持されている。
【００３２】
載置板５は、波形状の側部切目６、６及び第２側部切目６ａ、６ａに左右基端部を挟み込むことで支持されるとともに、図８及び図９に示すように、中央部背面側で支持片７、７により支持され、前方側で載置板支持部１２、１２により支持されるため、載置した作品の重力を各部材に分散することができ、また、図１０に示すように、側面視において波形状である側部切目６、６及び第２側部切目６ａ、６ａにより、載置板５は上側に丸みを帯びた形状となることで曲げ剛性の高いものとなり、たわみにくくなる。その結果、作品展示台１Ａとして、より重量のある作品でも安定して展示することができる。
載置板支持部１２、１２は、閲覧者から見えやすいものであるため、作品展示台１Ａや壁面Ｗに別途名称表示部等を設けなくとも、作者や作品の名称等、展示の際に必要な情報を記載して表示することができる。
【００３３】
図１１は、作品展示台１Ａの展開した状態を示す正面図であり、図示するように、左右両側部３、４には、左右各々の左右方向略中央に上下方向に伸びる側部折目１３、１３を設け、左右両側部３、４は、この側部折目１３、１３を軸として略左右対称となっている。これと同様に左右両側部３、４には、側部折目１３、１３を軸として側部折目１３、１３と線対称となる形状の第２側部切目６ａ、６ａを形成している。これにより、左右両側部３、４の側部折目１３、１３よりも外側の第２側部３ａ、４ａを側部折目１３、１３に沿って前方に折り曲げて左右両側部３、４を重ねたときに、ほとんど同一の外形となり、側部切目６、６及び第２側部切目６ａ、６ａも同一形状となり、作品展示台１Ａとして成形したときに外観も美しく、強度も高いものとなる。
【００３４】
図１２は、本発明の第２実施形態に係る作品展示台１Ａの展開した状態（ａ）から成形する方法を説明する斜視図である。
成形方法は、まず、左右夫々の第２側部３ａ、４ａを左右側部折目１３、１３に沿って前側に折り曲げて重ねることにより左右両側部３、４を形成する（ｂ）。次に、左右の支持片７、７を縦折目７Ｂ、７Ｂにより前方に折り曲げ、載置板５の下面を支持するように位置させ（ｃ）、舌片１０を下辺１０Ａの折目により前方に略垂直に折り曲げた状態にして載置板５とし（ｄ）、左側部３、及び、右側部４を上折目２Ａ、２Ａ及び下折目２Ｂ、２Ｂにより前方に略垂直に折り曲げ、第２側部３ａ、４ａに設けた載置板支持部１２、１２を左右両側部３、４に対して略垂直に折り曲げて、載置板５の両基端部を波形状の側部切目６、６に係合させ、最後に、左側部３及び右側部４に設けた貫通孔９のうち載置板５よりも下側の下貫通孔９Ｂ、９Ｂに紐状ゴム８を結紐し、その紐状ゴム８を左右の載置板支持部１２、１２の波形状の上辺に引っ掛け、載置板支持部１２、１２を両側部３、４に対して略垂直に位置で固定し（ｅ）、作品展示台を成形する。
【００３５】
その他の構成については、上記第１実施形態と同様であり、同一構造については同一の符号を付してその説明を省略する。
【００３６】
以上の説明においては、本発明にかかる作品展示台は、厚紙により製作するよう説明したが、これに関わらず、本発明にかかる作品展示台の素材は、合成樹脂や合板など、ある程度剛性のある一枚板状のものであれば良いが、特に、合成樹脂であれば製造面、使用面においても有利である。さらに、上下、左右方向において、強度が異なる特性がある素材は、その特性を利用すれば、より強度の高い作品展示台を得ることができる。
また、成形時に載置板の側部切目から外側へ突出する部分に、左右の両側部を固定できるようなもの、例えば、突出する部分に切り込みをいれ、側部切目に嵌め込むようにするものや、突出する部分にピン状のものを取り付けることによって、左右の両側部を固定するものにしてもよい。
同じように支持片の固定手段も紐状のものだけでなく、例えば、左右の支持片の切り込みに互に嵌め合い、固定するようにしても良いし、舌片に嵌め込み部等を設けても良い。
舌片を折り曲げることによりなる載置板、一枚板の形状は図示するものに関わらず、曲線、直線によりなるものでもよく、さらには、左右対称でなくても良いが、一枚板の形状は図示するように、上下辺の真中に凹部等の目印を設けるようにすれば、壁面に載置板を水平に取付ける必要がある作品展示台として好適となる。
さらに、壁に取付ける手段も画鋲の代わりに、粘着性テープを使用してもよい。このとき、作品及び作品展示台の荷重は背面上部の折目近傍に大きくかかるため、これに対応できる形状に加工した粘着性テープによるものであればなおよい。
さらにまた、載置板を側部切目に接着剤等により固定することにより、より重量のある作品でも安定して展示することができる。
【図面の簡単な説明】
【００３７】
【図１】本発明の第１実施形態に係る作品展示台の使用状態を示す斜視図である。
【図２】本発明の第１実施形態に係る作品展示台の正面図である。
【図３】本発明の第１実施形態に係る作品展示台の底面図である。
【図４】図２のＡ−Ａ断面図である。
【図５】本発明の第１実施形態に係る作品展示台の展開した状態を示す正面図である。
【図６】本発明の第１実施形態に係る作品展示台の成形方法を示す説明図であり、（ａ）は作品展示台を展開した状態を示す斜視図、（ｂ）は支持片のみ折り曲げた状態を示す斜視図、（ｃ）は支持片、舌片を折り曲げた状態を示す斜視図、（ｄ）は支持片、舌片、左右両側部を折り曲げ、舌片の左右基端部を側部切目に係合させて載置板とした状態を示す斜視図である。
【図７】本発明の第２実施形態に係る作品展示台の使用状態を示す斜視図である。
【図８】本発明の第２実施形態に係る作品展示台の正面図である。
【図９】本発明の第２実施形態に係る作品展示台の底面図である。
【図１０】図８のＡ−Ａ断面図である。
【図１１】本発明の第２実施形態に係る作品展示台の展開した状態を示す正面図である。
【図１２】本発明の第２実施形態に係る作品展示台の成形方法を示す説明図であり、（ａ）は作品展示台を展開した状態を示す斜視図、（ｂ）は左右各々の第２側部を折り曲げて左右両側部を重ねた状態を示す斜視図、（ｃ）は第２側部、支持片を折り曲げた状態を示す斜視図、（ｄ）は第２側部、支持片、舌片を折り曲げた状態を示す斜視図、（ｅ）は第２側部、支持片、舌片、左右両側部を折り曲げ、舌片の左右基端部を側部切目に係合させて載置板とした状態を示す斜視図である。
【符号の説明】
【００３８】
１     作品展示台
１Ａ   作品展示台
２     背面部
２Ａ   上折目
２Ｂ   下折目
３     左側部
３ａ   第２側部（左側）
４     右側部
４ａ   第２側部（右側）
５     載置板
６     側部切目
６ａ   第２側部切目
７     支持片
７Ａ   凹部
７Ｂ   縦折目
７Ｃ   水平切目
８     紐状ゴム
９     貫通孔
９Ａ   上貫通孔
９Ｂ   下貫通孔
１０   舌片
１０Ａ 下辺
１０Ｂ 上辺
１０Ｃ 左右辺
１１   切目
１２   載置板支持部
１３   側部折目
Ａ     作品
Ｔ     画鋲
Ｗ     壁面
【図１】
0004924461.tif 000002
【図２】
0004924461.tif 000003
【図３】
0004924461.tif 000004
【図４】
0004924461.tif 000005
【図５】
0004924461.tif 000006
【図６】
0004924461.tif 000007
【図７】
0004924461.tif 000008
【図８】
0004924461.tif 000009
【図９】
0004924461.tif 000010
【図１０】
0004924461.tif 000011
【図１１】
0004924461.tif 000012
【図１２】
0004924461.tif 000013